【手続補正書】
【提出日】平成18年8月24日(2006.8.24)
【手続補正１】
【補正対象書類名】特許請求の範囲
【補正対象項目名】全文
【補正方法】変更
【補正の内容】
【特許請求の範囲】
【請求項１】
電子装置を制御するためのポインティングデバイスであって、
導電性内面の中に非導電性領域を設けたホイールであって、前記非導電性領域が前記ホイールの回転と共に前記ホイールの回転軸の周りを周回するように構成されたホイールと、
前記ホイール内で前記ホイールの前記回転軸に沿って配置され、前記非導電性領域が被捕獲シャフトの周りを周回するのに応答して、前記ホイールの導電性内面との接触および非接触を行うように構成されたスイッチ接触部を備える被捕獲シャフトと、
前記被捕獲シャフトを捕獲して、前記被捕獲シャフトが前記ホイールの回転と共に回転するのを阻止するように構成されたフレームとを備えることを特徴とするポインティングデバイス。
【請求項２】
前記フレームは、前記被捕獲シャフトを捕獲して、前記被捕獲シャフトが前記ホイールの前記回転軸に対して実質的に垂直の方向で自由に移動するようにさらに構成されることを特徴とする請求項１に記載のポインティングデバイス。
【請求項３】
前記ホイールは、前記ホイールの導電性内面の中に第２の非導電性領域を設け、前記第２の非導電性領域が前記ホイールの回転と共に前記ホイールの前記回転軸の周りで周回するようにさらに構成され、前記被捕獲シャフトの前記スイッチ接触部は、前記第２の非導電性領域が前記被捕獲シャフトの周りを周回するのに応答して、前記ホイールの前記導電性内面との接触および非接触を行うようにさらに構成されることを特徴とする請求項１に記載のポインティングデバイス。
【請求項４】
前記被捕獲シャフトは、前記ホイールの完全な１回転中に前記ホイールの前記導電性内面との電気的接触を維持するように構成されたグラウンド接触部を提供するようにさらに構成されることを特徴とする請求項１に記載のポインティングデバイス。
【請求項５】
前記ホイールの前記導電性内面および前記グラウンド接触部は、前記ホイールの回転中に移動止め位置を設けるように構成されることを特徴とする請求項４に記載のポインティングデバイス。
【請求項６】
前記ホイールの外面はプラスチック材料からなることを特徴とする請求項１に記載のポインティングデバイス。
【請求項７】
前記ホイールの前記内面は金属スリーブであり、前記第１の非導電性領域は前記金属スリーブ内の空隙であることを特徴とする請求項６に記載のポインティングデバイス。
【請求項８】
前記フレームは電気回路の基板上に搭載されるようにさらに構成されることを特徴とする請求項１に記載のポインティングデバイス。
【請求項９】
前記フレームは、前記被捕獲シャフトを捕獲して、前記被捕獲シャフトが前記ホイールの前記回転軸に対して実質的に垂直の方向で自由に移動するようにさらに構成され、前記電気回路の前記基板は、前記ホイールの前記回転軸に対して実質的に垂直の方向の前記ホイールの移動に応答して、接触および非接触を行うように構成されたスイッチを備えることを特徴とする請求項１に記載のポインティングデバイス。
【請求項１０】
前記ホイールの前記回転軸から離れ、前記回転軸に実質的に垂直の方向で前記ホイールに力を伝達するように構成され、前記被捕獲シャフトの少なくとも１つのスイッチ接触部と電気的に結合するようにさらに構成されたバネをさらに備えることを特徴とする請求項９に記載のポインティングデバイス。
【請求項１１】
電子装置を制御するためのポインティングデバイスであって、
導電性内面の中に非導電性領域を設けたホイール手段であって、前記非導電性領域が前記ホイール手段の回転と共に前記ホイール手段の回転軸の周りを周回するように構成されたホイール手段と、
前記ホイール手段内で前記ホイール手段の前記回転軸に沿って配置され、前記非導電性領域がシャフト手段の周りを周回するのに応答して前記ホイールの前記導電性内面との接触および非接触を行うように構成されたスイッチ接触手段を備えるシャフト手段と、
前記シャフト手段を捕獲して、前記シャフト手段が前記ホイール手段の回転と共に回転するのを阻止するように構成されたフレーム手段と
を備えることを特徴とするポインティングデバイス。
【請求項１２】
前記フレーム手段は、前記シャフト手段を捕獲して、前記シャフト手段が前記ホイール手段の前記回転軸に対して実質的に垂直の方向で自由に移動するようにさらに構成されることを特徴とする請求項１１に記載のポインティングデバイス。
【請求項１３】
前記ホイール手段は、前記ホイール手段の導電性内面の中に第２の非導電性領域をさらに設け、前記第２の非導電性領域が前記ホイール手段の回転と共に前記ホイール手段の前記回転軸の周りで周回するようにし、前記シャフト手段の前記スイッチ接触手段はさらに、前記第２の非導電性領域が前記シャフト手段の周りを周回するのに応答して、前記ホイール手段の前記導電性内面との接触および非接触を行うことを特徴とする請求項１１に記載のポインティングデバイス。
【請求項１４】
前記シャフト手段は、前記ホイール手段の完全な１回転中に前記ホイール手段の導電性内面との電気的接触を維持するためのグラウンド接触手段をさらに提供することを特徴とする請求項１１に記載のポインティングデバイス。
【請求項１５】
前記ホイール手段の前記導電性内面および前記グラウンド接触手段は、前記ホイール手段の回転中に移動止め位置を設けたことを特徴とする請求項１４に記載のポインティングデバイス。
【請求項１６】
前記ホイール手段の外面はプラスチック材料からなることを特徴とする請求項１１に記載のポインティングデバイス。
【請求項１７】
前記ホイール手段の前記内面は金属スリーブであり、前記第１の非導電性領域は前記金属スリーブ内の空隙であることを特徴とする請求項１６に記載のポインティングデバイス。
【請求項１８】
前記フレーム手段はさらに電気回路の基板上に搭載されることを特徴とする請求項１１に記載のポインティングデバイス。
【請求項１９】
前記フレーム手段は、前記シャフト手段を捕獲して、前記シャフト手段が前記ホイール手段の前記回転軸に対して実質的に垂直の方向で自由に移動し、前記電気回路の前記基板は、前記ホイール手段の前記回転軸に対して実質的に垂直の方向の前記ホイール手段の移動に応答して接触および非接触を行うように構成されたスイッチを備えることを特徴とする請求項１１に記載のポインティングデバイス。
【請求項２０】
前記ホイール手段の前記回転軸から離れ、前記回転軸に対して実質的に垂直の方向で前記ホイール手段に力を伝達し、前記シャフト手段のスイッチ接触部と電気的に結合するためのバネ手段をさらに備えることを特徴とする請求項９に記載のポインティングデバイス。
【請求項２１】
導電性内面の中に非導電性領域を設けたホイールであって、前記非導電性領域が前記ホイールの回転と共に前記ホイールの回転軸の周りを周回するように構成されたホイールと、
前記ホイール内で前記ホイールの回転軸に沿って配置され、前記非導電性領域が前記被捕獲シャフトの周りを周回するのに応答して前記ホイールの前記導電性内面との接触および非接触を行うように構成されたスイッチ接触部を備える被捕獲シャフトと、
前記被捕獲シャフトを捕獲して、前記被捕獲シャフトが前記ホイールの回転と共に回転するのを阻止するように構成されたフレームと、
前記スイッチ接触部から電気的信号を受信するように構成されたプロセッサと
を備えることを特徴とする電子装置。
【請求項２２】
前記プロセッサは、前記受信した電気的信号に応答して表示された画像を変更するようにさらに構成されることを特徴とする請求項２１に記載の電子装置。
【請求項２３】
前記表示された画像を表示するように構成されたディスプレイをさらに備えることを特徴とする請求項２２に記載の電子装置。
【請求項２４】
前記受信した電気的信号に応答してリストに表示された特定のデータフィールドを選択するように構成されたアプリケーションプログラムをさらに備えることを特徴とする請求項２１に記載の電子装置。